【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
光源および発光材料を備えた発光素子であって、該発光材料は、
１または複数のマトリックス材料と、前記１または複数のマトリックス材料に配置される
第１の結晶化合物を含んでなる第１の複数のナノ粒子と、
第２の結晶化合物を含んでなる第２の複数のナノ粒子とを含んでなり、
前記第１の結晶化合物および前記第２の結晶化合物は、式（Ｉ）で表される異なる化合物であり、
［Ａ］［Ｍ］［Ｘ］３          （Ｉ）
［Ａ］は少なくとも１つのモノカチオンであり、
［Ｍ］は少なくとも１つの金属またはメタロイドのジカチオンであり、
［Ｘ］は少なくとも１つのハロゲン化物アニオンである
、発光素子。
【請求項２】
前記光源は、４００ｎｍから５００ｎｍのピーク発光波長を有する、請求項１に記載の発光素子。
【請求項３】
前記光源は、窒化ガリウムを含んでなる発光ダイオードである、請求項１または請求項２に記載の発光素子。
【請求項４】
前記第１の結晶化合物および／または前記第２の結晶化合物は、以下の式（ＩＩ）であるペロブスカイト化合物であって、
［Ａ］Ｍ［Ｘ］３  （ＩＩ）
ここで［Ａ］は２つ以上のモノカチオンであり、Ｍは単一の金属またはメタロイドのジカチオンであり、［Ｘ］は少なくとも１つのハロゲン化物アニオンである、請求項１〜３のいずれか一項に記載の発光素子。
【請求項５】
モノカチオンはそれぞれ、Ｒｂ＋、Ｃｓ＋、（ＮＲ１Ｒ２Ｒ３Ｒ４）＋、（Ｒ１Ｒ２Ｎ＝ＣＲ３Ｒ４）＋、（Ｒ１Ｒ２Ｎ−Ｃ（Ｒ５）＝ＮＲ３Ｒ４）＋および（Ｒ１Ｒ２Ｎ−Ｃ（ＮＲ５Ｒ６）＝ＮＲ３Ｒ４）＋から独立に選択されるものであって、Ｒ１、Ｒ２、Ｒ３、Ｒ４、Ｒ５およびＲ６はそれぞれ独立に、Ｈか、置換もしくは非置換の炭素数１〜２０のアルキル基か、または置換もしくは非置換のアリール基であるか、
金属またはメタロイドのジカチオンはそれぞれ、Ｃａ２＋、Ｓｒ２＋、Ｃｄ２＋、Ｃｕ２＋、Ｎｉ２＋、Ｍｎ２＋、Ｆｅ２＋、Ｃｏ２＋、Ｐｄ２＋、Ｇｅ２＋、Ｓｎ２＋、Ｐｂ２＋、Ｙｂ２＋およびＥｕ２＋から独立に選択されるか、
ハロゲン化物アニオンはそれぞれ、Ｆ−、Ｃｌ−、Ｂｒ−およびＩ−から独立に選択される、請求項１〜４のいずれか一項に記載の発光素子。
【請求項６】
前記第１の結晶化合物および／または前記第２の結晶化合物は、式ＣＨ３ＮＨ３ＭＸ３、ＣＨ３ＮＨ３ＭＸｘＸ’３−ｘ、（ＣＨ３ＮＨ３）１−ｙ（Ｃ８Ｈ１７ＮＨ３）ｙＭＸ３および（ＣＨ３ＮＨ３）１−ｙ（Ｃ８Ｈ１７ＮＨ３）ｙＭＸｘＸ’３−ｘであるペロブスカイト化合物から選択されるものであり、
Ｍは、Ｃｕ２＋、Ｐｂ２＋、Ｇｅ２＋またはＳｎ２＋であり、  Ｘは、Ｆ−、Ｃｌ−、Ｂｒ−またはＩ−であるハロゲン化物アニオンであり、  Ｘ’はＸとは異なり、Ｆ−、Ｃｌ−、Ｂｒ−またはＩ−であるハロゲン化物アニオンであり、
ｘは０から３であり、
ｙは０から１である、請求項１〜５のいずれか一項に記載の発光素子。
【請求項７】
前記第１の結晶化合物および／または前記第２の結晶化合物は、式（ＣＨ３ＮＨ３）１−ｙ（Ｃ８Ｈ１７ＮＨ３）ｙＭＸ３または（ＣＨ３ＮＨ３）１−ｙ（Ｃ８Ｈ１７ＮＨ３）ｙＭＸｘＸ’３−ｘであるペロブスカイト化合物であり、  Ｍは、Ｃｕ２＋、Ｐｂ２＋、Ｇｅ２＋またはＳｎ２＋であり、
Ｘは、Ｆ−、Ｃｌ−、Ｂｒ−またはＩ−であるハロゲン化物アニオンであり、
Ｘ’はＸとは異なり、Ｆ−、Ｃｌ−、Ｂｒ−またはＩ−であるハロゲン化物アニオンであり、
ｘは０から３であり、
ｙは０．５から０．７であり、好ましくは０．５５から０．６５である、請求項１〜６のいずれか一項に記載の発光素子。
【請求項８】
ハロゲン化物アニオンのそれぞれは独立に、Ｂｒ−またはＩ−またはＣｌ−である、請求項１〜７のいずれか一項に記載の発光素子。
【請求項９】
前記第１の複数のナノ粒子を形成する前記ナノ粒子は、非置換の炭素数４〜１６のハロゲン化アルキルアンモニウムをさらに含んでなり、および／または、前記第２の複数のナノ粒子を形成する前記ナノ粒子は、非置換の炭素数４〜１６のハロゲン化アルキルアンモニウムをさらに含んでなる、請求項１〜８のいずれか一項に記載の発光素子。
【請求項１０】
前記第１の複数のナノ粒子は、最大フォトルミネッセンス発光が４００ｎｍから８００ｎｍ、好ましくは５００ｎｍから７００ｎｍである、請求項１〜９のいずれか一項に記載の発光素子。
【請求項１１】
前記１または複数のマトリックス材料は、１または複数のポリマーマトリックス材料を含んでなる、請求項１〜１０のいずれか一項に記載の発光素子。
【請求項１２】
前記１または複数のマトリックス材料は、ポリメチルメタクリレート、ポリスチレン、ポリウレタン、ポリカーボネートまたはポリイミドから選択されるポリマーマトリックス材料である、請求項１〜１１のいずれか一項に記載の発光素子。
【請求項１３】
前記第１の複数のナノ粒子が、第１の層を形成し、前記第２の複数のナノ粒子が、第２の層を形成する、または前記第１の複数のナノ粒子および前記第２の複数のナノ粒子は、マトリックス材料中に互いに分散する、請求項１〜１２のいずれか一項に記載の発光素子。
【請求項１４】
前記第１の複数のナノ粒子の最大フォトルミネッセンス発光の波長と前記第２の複数のナノ粒子の最大フォトルミネッセンス発光の波長とは、その差異が５０ｎｍ以上である、請求項１〜１３のいずれか一項に記載の発光素子。
【請求項１５】
前記発光素子は、前記マトリックス材料に配置される、第３の結晶化合物を含んでなる第３の複数のナノ粒子をさらに含んでなるものであって、前記第３の結晶化合物は、前記第１の結晶化合物および前記第２の結晶化合物と異なるものであり、かつ、式［Ａ］［Ｍ］［Ｘ］３である化合物であり、ここで［Ａ］は少なくとも１つのモノカチオンであり、［Ｍ］は少なくとも１つの金属またはメタロイドのジカチオンであり、［Ｘ］は少なくとも１つのハロゲン化物アニオンである、請求項１〜１４のいずれか一項に記載の発光素子。
【請求項１６】
前記発光素子は、前記マトリックス材料に配置される、第４の結晶化合物を含んでなる第４の複数のナノ粒子をさらに含んでなるものであって、前記第４の結晶化合物は、前記第１の結晶化合物、前記第２の結晶化合物および前記第３の結晶化合物と異なるものであり、かつ、式［Ａ］［Ｍ］［Ｘ］３である化合物であり、ここで［Ａ］は少なくとも１つのモノカチオンであり、［Ｍ］は少なくとも１つの金属またはメタロイドのジカチオンであり、［Ｘ］は少なくとも１つのハロゲン化物アニオンである、請求項１５に記載の発光素子。
【請求項１７】
１または複数のマトリックス材料と、前記１または複数のマトリックス材料に配置される
（ｉ）第１の結晶化合物を含んでなる第１の複数のナノ粒子と、
（ｉｉ）第２の結晶化合物を含んでなる第２の複数のナノ粒子とを含んでなる発光材料であって、
前記第１の結晶化合物および前記第２の結晶化合物は、以下の式（Ｉ）である異なる化合物であり、
［Ａ］［Ｍ］［Ｘ］３      （Ｉ）
ここで、
［Ａ］は少なくとも１つのモノカチオンであり、
［Ｍ］は少なくとも１つの金属またはメタロイドのジカチオンであり、
［Ｘ］は少なくとも１つのハロゲン化物アニオンである、発光材料。
【請求項１８】
蛍光体を含んでなる発光素子の製造方法であって、該方法は、請求項１または請求項３から請求項１６のいずれか一項において規定された発光材料を、請求項１または請求項２において規定された光源の上に配置することを含んでなる、発光素子の製造方法。
【請求項１９】
発光材料の製造方法であって、該方法は、第１の結晶化合物を含んでなる第１の複数のナノ粒子と、第２の結晶化合物を含んでなる第２の複数のナノ粒子と、１または複数のマトリックス材料とを合わせることを含んでなり、
前記第１の結晶化合物および前記第２の結晶化合物は、式［Ａ］［Ｍ］［Ｘ］３である異なる化合物であって、ここで［Ａ］は少なくとも１つのモノカチオンであり、［Ｍ］は少なくとも１つの金属またはメタロイドのジカチオンであり、［Ｘ］は少なくとも１つのハロゲン化物アニオンである、発光材料の製造方法。